(57)【要約】着用者の体部に配されるように意図されており、−２本の堅い湾曲アーム（10、12）、−前記アームの各々２つの端部の内の第一端部（10a、12a）で相互に対向すると共に可動である前記２本のアームを接続する関節部（14）、−固定位置と称される第一位置と固定解除位置と称される第二位置とを占めることができるように、前記関節部（14）の近傍に配される頭部（16）、及び−前記頭部を前記第一アームと第二アームとにそれぞれ固定する第一接続手段と第二接続手段であって、前記頭部（16）が固定位置にあるときには前記両手段は固定されており、前記頭部が固定解除位置にあるときには少なくとも第一接続手段は接続解除されている第一接続手段と第二接続手段を有する環。【選択図】図１ｂ
2004533897.tif 000002
【特許請求の範囲】
【請求項１】
着用者の体部に配されるように意図されており、
−各アームの２つの端部の内の第一端部（10a、12a）で相互に対向すると共に動くことができる２本の堅い湾曲アーム（10、12）と、それらを接続する関節部（14）、
−固定位置と称される第一位置と固定解除位置と称される第二位置とを占めることができるように、前記関節部（14）の近傍に配される頭部（16）、及び
−前記頭部を前記第一アームと第二アームとにそれぞれ固定する第一接続手段と第二接続手段であって、前記頭部（16）が固定位置にあるときには前記両手段は固定されており、前記頭部が固定解除位置にあるときには少なくとも第一接続手段は接続解除されている第一接続手段と第二接続手段
を有する環であって、
−前記アームの第二端部が離れており、第二端部を離している空隙を介して、前記環を着用者の体部にはめたり、又着用者の体部から外したりすることができる開位置、及び
−前記空隙が小さくなり、前記アームが着用者の体部を取り囲んでいる閉位置
を占めるように設計されており、
前記第一接続手段が、それぞれ第一アームと頭部とに強固に接続されている第一部品と第二部品とを有することを特徴とする環。
【請求項２】
前記第一部品及び第二部品の内の一方が固定部（16d）を形成し、他方が鉤部（10c）を形成し、頭部が固定位置にあるときには相互に嵌合し、頭部が固定解除位置にあるときには両者が相互に外れていることを特徴とする請求項１に記載の環。
【請求項３】
第一の力Ｆ１をかけることによって前記頭部（16）がその固定位置から固定解除位置に動き、頭部（16）が固定位置にあるときにアーム（10、12）の一方にかけられた力Ｆ２が、前記固定部（16d）と鉤部（10c）との相互作用によって、前記第一の力Ｆ１に実質的に垂直な力Ｆ３を頭部に与え、前記頭部が固定位置にあるときには前記アーム（10、12）が閉位置にあり、前記頭部（16）が固定解除位置にあるときに前記アームが相互に離れているようになっていることを特徴とする請求項２に記載の環。
【請求項４】
前記関節部（14）が前記アームの少なくとも一方に固定されると共に第一軸支回転軸（A−A）を限定する蝶番（19、28）を有し、前記頭部（16）が固定位置にあるときに該蝶番が覆われ、固定解除位置にあるときに露出していることを特徴とする請求項１〜３に記載の環。
【請求項５】
前記関節部が、前記第一軸に平行な軸の周りを軸支回転する第二の蝶番（30）と、該第二の蝶番（30）に前記第一の蝶番（28）を接続するプレート（26）とをさらに有し、これら蝶番の内の一方（28）が前記アームの一方（10）に固定されており、他方の蝶番（30）が他方のアーム（12）に接続されていることを特徴とする請求項４に記載の環。
【請求項６】
前記頭部（16）が前記アームの少なくとも一方（12）へと滑動することによって、前記固定位置及び前記固定解除位置の一方から他方へと移動することができるように設計されていることを特徴とする請求項１〜４のいずれか一項に記載の環。
【請求項７】
一方において前記頭部（16）と、他方においてアームの一方（10）と協働して、前記アームに関して前記頭部の固定位置を保証するように配されたスナップ留め型の位置決め手段（34）をさらに有することを特徴とする請求項６に記載の環。
【請求項８】
前記頭部が、前記第一の軸（A−A）に垂直な第二の軸（B−B）の周りを回転することによって、前記固定位置及び前記固定解除位置の一方から他方へと移動することができるように設計されていることを特徴とする請求項４又は５に記載の環。
【請求項９】
前記アームの少なくとも一方（10）が突起部（10c）を有し、前記頭部（16）が翼部（16d）を有し、該突起部と翼部との一方が固定部を形成し、他方が鉤部を形成することを特徴とする請求項８に記載の環。
【請求項１０】
前記頭部（16）が、前記第一の軸（A−A）に平行な第三の軸（C−C）の周りを軸支回転可能であるように、その端部の一方によって前記アームの一方（12）に取り付けられており、頭部の他端によって他のアーム（10）と協働してスナップ留め型の組立体を形成することを特徴とする請求項２又は３に記載の環。
【請求項１１】
前記頭部（16）が２つの固定位置を占めることができ、前記第一及び第二の固定位置でそれぞれ見ることのできる２種の異なった表示器を有する計時装置（18）を備えるように、前記接続手段が設計された請求項１〜１０のいずれか一項に記載の環。
【発明の詳細な説明】
【技術分野】
【０００１】
本発明は関節接続環に関する。「環」という用語は広義に解釈され、略円筒形の体部に固定することのできる環形状のものを意味する。この体部は、手首（この場合、環はブレスレットとなる）でも、首（この場合、環はネックレスとなる）でも、指（この場合、環は指輪となる）でもよい。
【０００２】
より詳しくは、本発明は、２本の堅い湾曲アームとそれらを接続する関節部とに関する。前記アームは、各アームの２つの端部の内の第一端部でその片方が他方と対向するように接続されており、両アームは可動である。この環は、着用者の体部がアームが開いて出来る空隙を通って環に出入りすることができるように、２つの第二端部が離れている開位置と、２つの第二端部間の空隙が狭まって前記アームが使用者の体部を取り囲むようになっている閉位置とを有するように設計されている。
【背景技術】
【０００３】
この型の環は、特に、「マーキーズ（marquise）」という名で知られる腕時計に使用される。アームが堅いという事実それ自体が美的可能性を提供する。この型の時計においては、両方のアームを相互に接近させようとするバネによって、該アームが保持されており、バネの復元力が重要な役割を果たす。バネの復元力が弱すぎると、アームが偶然開いて時計を紛失する危険性がある。バネの復元力が強すぎると、手首から時計を外すのが容易ではなくなる。
【０００４】
フランス特許文献第FR 940 506号はこの欠点を克服するための提案をしている。この文献は、
−各アームの２つの端部の内の第一端部で対向すると共に可動である２本の堅い湾曲アームと、それらを接続する関節部
−前記アームの片方で軸支回転するように取り付けられる頭部、及び
−他方のアームで軸支回転するように取り付けられる固定部であって、前記頭部と協働して、頭部と固定部とが固定される位置を定める固定部
を有する時計に関する。
【０００５】
この解決法によっても、例えば、固定部が何かに引っかかるなどして、偶然にアームが開く危険性は無視することができない。さらに、非常に多くの関節部があるので、外観の割れ目が生じており、付け心地の良さや着用者の安全にも影響を与える可能性がある。
【発明の開示】
【０００６】
より正確には、本発明によると、環は着用者の体部に配置されるように意図されており、
−各アームの２つの端部の内の第一端部で対向すると共に可動である２本の堅い湾曲アームと、それらを接続する関節部
−固定位置と称される第一位置と固定解除位置と称される第二位置とを占めることができるように、前記関節部の近傍に配される頭部、及び
−前記頭部を前記第一アームと第二アームとにそれぞれ固定する第一接続手段と第二接続手段であって、前記頭部が固定位置にあるときには前記両接続手段は固定されており、前記頭部が固定解除位置にあるときには少なくとも第一接続手段は接続解除されている第一接続手段と第二接続手段
を有する。
【０００７】
前記アームは
−その第二端部が離れており、第二端部を離している空隙を介して、前記環を着用者の体部にはめたり、又着用者の体部から外したりすることができる開位置、及び
−前記空隙が小さくなり、前記アームが着用者の体部を取り囲んでいる閉位置
を占めるように設計されている。
【０００８】
本発明の目的は、先に限定した、装着者に高水準の安全性と信頼性を保証しつつ、装着及び取り外しが容易な環を作ることである。この目的は、前記第一接続手段が、前記第一アームと頭部とにそれぞれ強固に取り付けられる第一部品と第二部品とを有するという事実によって達成される。換言すれば、第一接続手段の第一部品と第二部品とは、前記第一アーム及び頭部と一体化されているか、例えば溶接によって後者にしっかりと固定されている。このような構造によって、この組立体は適当な堅牢さを有し、不意の固定解除の危険性を小さくし、また、美的観点から数多くの変形例を作ることができる。
【０００９】
前記接続手段の第一部品と第二部品とは、その一つを固定部とし、他方を、頭部が固定位置にあるときに相互に協働し、頭部が固定解除位置にあるときに相互に係合状態にない鉤部として形成されている。
【００１０】
アーム上に頭部を安定して位置させるために、その固定位置から固定解除位置への頭部の動きが第一の力Ｆ１を加えることによって起こり、頭部が固定位置にあるときにアームの一方に加えられる力Ｆ２が前記固定部と鉤部との相互作用によって、第一の力Ｆ１に実質的に垂直な力Ｆ３を頭部上に発生し、頭部が固定位置にある限りアームは閉位置にあり、頭部が固定解除位置にあるときはアームが相互に離れるように第一接続手段は設計されている。
【００１１】
関節部を良好に動作する状態にするために、関節部は、前記アームの少なくとも１本に固定された少なくとも１つの蝶番を有し、これが第一の軸支回転軸となっている。頭部が固定位置にあるときにはこの蝶番は覆われており、固定解除位置にあるときには露出している。
【００１２】
第一の態様において、この関節部は、第一の軸に平行な軸の周りを軸支回転する第二の蝶番と、前記第一の蝶番を第二の蝶番に接続するプレートとを有している。これら蝶番の内の１つはアームの一方に固定されており、もう１つの蝶番は他方のアームに接続されている。
【００１３】
第二の態様においては、少なくとも一方のアームに滑り込むことによって固定及び固定解除位置の一方から他方に移るように頭部が設計されている。
【００１４】
アームに関して頭部位置が確実に適切な位置にあるようにするために、固定位置において、一方において頭部と協働し、他方においてアームの一方と協働する、スナップ取り付け型の位置決め手段を、環はさらに有する。
【００１５】
第三の態様によると、前記頭部は、前記第一の軸に垂直な第二の軸の周りを回転することによって固定及び固定解除位置の一方から他方に移るように設計されている。
【００１６】
都合のよいことに、ブレスレットのアームの少なくとも一方は突起部を有しており、頭部は翼部を有しており、この２つの内の片方が固定部を形成し、他方が鉤部を形成している。
【００１７】
第四の態様においては、頭部は、前記第一の軸に平行な第三の軸の周りを軸支回転するように、その端部の１つによってアームの一方に取り付けられており、他端によってもう一方のアームと協働し、スナップ取り付けた型の組立体を形成する。
【００１８】
この環は、腕時計として好適に使用することができる。特に興味深い使用法は、頭部に２つの異なる文字盤を有する計時装置を配し、頭部が２つの固定位置を占め、２つの文字盤がこれら２つの固定位置の第一及び第二の位置からそれぞれ見えるように設計されている接続手段を配してなるものである。
【００１９】
本発明の他の効果及び特長は、添付の図面を参照してなされる以下の記載より明らかになろう。
【００２０】
以後に記載されている本発明の全ての態様は、このように、時計のムーブメントが収容されているケースを備えたブレスレットに関する。記載されている技術的手段は、大きさを調節することによって、ネックレス又は指輪に適用することができる。時計のムーブメントが存在することも本質的な事柄ではない。
【００２１】
図１〜４に示されているブレスレットの各々は、２本の堅い湾曲アーム10、12、それらの端部の片側（文字ａで示されている）を介してアームを相互に接続している関節部14、及び時計のムーブメント18がその内側に収容されているケースの形状をしている可動頭部16を有している。
【００２２】
図１において、閉位置にある二本のアーム10、12は、各々が約180°の角度に開いており、共に、着用者の手首を受ける開口部20を有する環を形成する。それらの接続されている端部10aと12aとは同軸の穴が設けられており、その穴において、軸A−Aを有するピンが挿入されて関節部14となる蝶番19を形成する。これらのアーム端部の各々は、更に文字ｂによって示される平坦な面を有しており、これらは共平面を形成している。文字ｃによって示される突起部は、関節部14の反対側の面10b、12bを限定する。
【００２３】
頭部16は、図１ａに示されているように、面10bに固定されると共にアーム10の端部10aに設けられた穴に嵌合するヘッド22を有する鋲によって、面10bに垂直な軸B−Bの周りに軸支回転するように、アーム10の端部10aに取り付けられている。鋲22は、このように、アーム10と頭部16との接続手段の機能を果たしている。頭部16は、固定位置において面10b及び12bに近接する位置にあると共に鋲22が固定される下方平面16a、上方ドーム面16b、２枚の側面16c、及び突起部10c及び12cと協働するための２つの翼部16dを有している。
【００２４】
より正確には、面10b及び12bと共に、突起部10c及び12cは鉤部を形成し、２枚の翼部16dは固定部を形成する。各翼部は鉤部の１つと協働し、頭部16をアーム10及び12に固定する。換言すれば鉤部と固定部とは、アーム10及び12を頭部16に接続する手段の第一部品と第二部品とをそれぞれ形成する。この態様において、頭部16が図１ｂに示される位置にあるときに、これらの接続手段は共に嵌合していない状態にある。
【００２５】
頭部が図１ａに示されている固定位置にあるときに、頭部16は、上面16bからアーム10及び12が延びるブレスレットの全体形状の一部をなし、蝶番19を覆う。頭部16とアーム10及び12とを外すためには、側面16cの片方に、この図の面に実質的に垂直な力Ｆ１を加える必要がある。すると、頭部16と鋲22とが、翼部16dが突起部10c及び12cから外れるようにアーム10上で軸支回転する。約90°の回転を行う必要がある。そして、頭部はその固定解除位置に達する。
【００２６】
この位置において、軸A−Aに垂直な面にある外方向の力Ｆ２をアーム10及び12の中央部にかけて、このような軸に関してトルクを発生させ、アーム10と12とを離れさせて両者の間に空隙24を形成する。この空隙は、図1bに示される開位置に達するまで大きくなり、着用者の手首から外したり、手首を挿入したりすることができるようになる。
【００２７】
逆に、アームが閉じた位置にあって頭部が固定位置にある場合は、力Ｆ２が加えられると力Ｆ３が発生し、この力は、面10b及び12bによって面16aに与えられるか、又は突起部10c及び12cによって翼部16dに与えられることになる。面12bと面16a、又は突起部10cとそれと協働する翼部16dは、このようにして、頭部をアーム10に固定する第二接続手段を形成している。但し、頭部とアームとの固定は頭部が固定位置にある場合のみになされる。
【００２８】
第二接続手段を形成するのが表面12bと面16aとである時に、力Ｆ３はＦ１に垂直であると共に軸B−Bに実質的に平行である。一方、図1aに示されている他の場合には、力Ｆ３は軸B−Bに実質的に垂直である。Ｆ３は鋲22にストレスを発生する効果を有するが、これによってアーム10及び12ｂに関して頭部16が動くことがない。頭部16はこのようにして固定され、アーム10及び12は閉位置を保つ。
【００２９】
アームが開位置にあるときには、図1bに示されるように、頭部16は固定解除位置にあり、使用者は、アーム10及び12が閉位置にくるまで、即ち、アーム10及び12の自由端が留め部材を形成するまで、アーム10及び12に反対方向の力をかけさえすればよい。この位置において、表面10b及び12bは再び共平面を形成し、他の側面16cにＦ１と反対方向の力をかけることによって、該力が頭部16をその固定位置に戻すようにようになっている。
【００３０】
関節部14が自由に動くことができる限りにおいてのみ、アーム10及び12が開くことができるのは明らかである。固定解除位置にある頭部16が完全に面12bと蝶番19を解放したときにのみ、これは可能である。このように、アーム12は面16aによってその動きが制限されることはもはやない。軸B−Bと端部16cとの間の距離が軸A−Aと軸B−Bとの間の距離よりも小さいときにのみ、この条件が満足される。
【００３１】
図示されていない変形例において、マーキーズ時計に見られるように、装着されると自動的に閉位置を取るように、アームをバネと協働させることもできる。
【００３２】
他の変形例においては、頭部16をアーム10上に取り外し可能な方法で取り付けることもできる。噛み合わせ型固定部を形成するように鋲22とアームに設けられた穴とを配することによって、これは、容易に達成することができる。この場合、回転角が90°よりも大きくなった後に都合よく固定解除が起こり、事故による固定解除の危険性が除去される。
【００３３】
頭部16の対照的な構造とその関節部14において、図２に示されている態様は図１の態様と相違している。他の構成要素は類似しており、同じ参照符号によって同定されている。
【００３４】
関節部14は、２つの端部10aと12aとを接続し、平行な軸A−AとA'−A'との周りを軸支回転する２つの蝶番28、30を前記２つの端部と共に形成するプレート26を有する。
【００３５】
プレート26は支持面26aを有しており、図2aに示されているようにアームが閉じた位置にあるときには、該支持面は面10b、12bの延長面内にある。面26aは実質的に方形をしており、その辺は頭部16の幅に等しいか、それよりも大きい。
【００３６】
頭部16は、鋲22によって、面26aに垂直でその中央を通る軸B−Bの周りを軸支回転するようにプレート26に取り付けられる。これは、図１の態様で使用されている構造と全ての点において類似している。このように、鋲22は頭部16とプレート26との間の接続手段としての機能を有している。
【００３７】
頭部16は対称形であるので、頭部を軸B−B周りに完全に回転させることが可能である。その結果、頭部16に異なる時刻を表示する２つの時計のムーブメント18を配することによって、頭部を単に回転することによって、時間を選択することが可能である。
【００３８】
図2aに示される固定位置においては、頭部16はブレスレットの全体形状の一部を構成し、その上面16bからアーム10及び12が延びている。頭部16とアーム10及び12とを分離するためには、この図の面に実質的に垂直な力Ｆ１を側面16cの一方にかける必要があり、これによって、翼部16dが突起部10c及び12cから離れるように頭部16と鋲22はプレート26上を軸支回転する。約90°の回転が必要である。そして、頭部はその固定解除位置に達する。この位置において、２つの蝶番28及び30は露出しており、アーム10及び12の中央部において、軸A−A及びA'−A'に垂直な面にあって外向きの力Ｆ２を加えて、これらの軸に関してトルクを発生させることにより、アーム10と12とを離し、それらの間に空隙24を形成する。この空隙は、図2bに示される開位置に達するまで大きくなって行き、該開位置において、着用者の手首から取り外したり、着用者の手首を挿入したりするのが可能になる。
【００３９】
逆に、アームが閉じた位置にあって頭部16が固定位置にある場合は、力Ｆ２が加えられると、結果として、図2aに示されているように、面10b及び12bによって面16aに与えられるか、又は突起部10c及び12cによって翼部16dに与えられることになる力Ｆ３が発生する。
【００４０】
このように、面16aと面10b及び12bとが協働して、又は翼部16dと突起部10c及び12cとが協働して、頭部をアーム10及び12とに接続する手段を形成する。この場合、固定解除位置においては、頭部とアームとの２つの接続手段は嵌合していない状態にある。プレート26に取り付けられた鋲22によって永久的な接続機能が保証されている。
【００４１】
力Ｆ３を発生するのが面10bと12bとである場合は、Ｆ３はＦ１及びＦ２に実質的に垂直であり、軸B−Bに平行である。この力は鋲22にストレスを発生する効果を有するが、それによって、アーム10及び12に関して頭部16を動かすことがない。頭部16はこのように固定され、アーム10及び12は閉位置にある。
【００４２】
図2bに示されるように、アームが開位置にあると共に頭部16が固定解除位置にあるときには、着用者は、アーム10及び12が閉位置にきてアーム10及び12の自由端が留め部材を形成するまで、アーム10及び12に反対方向の力Ｆ２を加えさえすればよい。この位置において、面10bと12bとは再び共平面を形成し、他の側面16cにＦ１に反対向きの力を加えることによって、この力は頭部16をその固定位置に戻す。
【００４３】
関節部14が自由に動くことができる限りにおいてのみ、アーム10及び12が開くことができるのは明らかである。固定解除位置にある頭部16が完全に面10bと12bとを解放し、アーム12の動きが16aによって制限されることがもはやないときにのみ、アームは開くことが出来る。軸B−Bと端部16cとの間の距離が軸A−A及びA'−A'と軸B−Bとの間の距離よりも小さいときにのみ、この条件が満足される。
【００４４】
図２を参照して記載したブレスレットの頭部16が対称であるので、頭部は２つの固定位置を取ることができ、一方の固定位置から他方の固定位置に180°回転させることによって移ることができる。頭部が２つの時計のムーブメント18を備えていれば、結果として二重に時間を表示することができ、例えば、２つの時間帯の時刻など、一方から他方へ単に頭部16を回転することによって、二種の時間データを表示することができる。
【００４５】
この場合においても、頭部16は、噛み合わせ型の組立体によって、取り外し可能にプレート26に取り付けることができる。
【００４６】
図３は、先に記載した２つの例とは異なるブレスレットを示しており、この例においては、頭部16は支持面10b及び12bを滑動するように取り付けられている。この設計において、関節部14は図１の関節部と全く同じであり、間隔を空けて配された、軸A−Aを軸とする２つの同軸の蝶番30（図では一方のみが示されている）によって形成されている。この図においても、同じ部品については、図１及び図２と同じ参照番号を付している。
【００４７】
頭部16は、先に記載した２つの例と同様に、固定位置においては面10b及び12bに近接すると共にその上に鋲22が固定されている下方平面16a、上方ドーム面16b、並びに２つの側面16cを有している。しかしながら、この場合においては、上方面16bはその端部の各々で、頭部16が軸A−Aに平行な軸を有する円弧筒形状の断面を有するように、下方面16aとつながっている。
【００４８】
より正確には、面10bと12bとは、軸A−Aに垂直でＴ形断面を有すると共に滑動路として機能する溝32を有している。鋲22は突起部22aを有しており、この突起部は溝32と嵌合して滑動部を形成し、このように頭部16とアーム10との間の接続機能を果たす。
【００４９】
玉付バネ留め34がアーム10に収容されており、関節部14の反対側の端部に近い位置で面10bから突出している。円錐状の穴36が面16aに設けられており、頭部16が固定位置にあるときには玉34が該円錐状の穴に収まるようになっている。
【００５０】
図3aに示されているように頭部が固定位置にあるときには、頭部16はブレスレットの全体外形の一部をなし、上面16bからアーム10及び12が延びている。鋲22は、溝32のアーム10に設けられた部分に嵌合している。玉34が円錐状の穴36に収まることによって、頭部16はこの位置に保持される。
【００５１】
頭部16とアーム10及び12とを離すために、図の平面内で溝32に実質的に平行な力Ｆ１を上面16bにかける必要がある。この力Ｆ１は玉34の位置固定力を克服し、鋲22が溝32の他端に達するまで、即ち、頭部16の固定解除位置に達するまで頭部16を滑動させる。
【００５２】
この位置において、アーム10及び12の中央部で、軸A−Aに垂直な面内で、この軸に関してトルクを発生させるように、外向きの力Ｆ２をかけてアーム10と12とを離し、両者の間に空隙24を形成する。この空隙は、図3bに示されている開位置に達するまで大きくなって行き、この開位置で着用者の手首からブレスレットを取り外したり、手首をブレスレットに入れたりすることができる。
【００５３】
逆に、アームが閉位置にあると共に頭部16が固定位置にあるときに、力Ｆ２が加えられると、この力は、面10b及び12bによって面16aに加えられる、Ｆ１に垂直である力Ｆ３を最終的に発生する。Ｆ３は鋲22にストレスを発生する効果を有するが、これによってアーム10及び12に関して頭部16が動くことはない。このように、面10bと12bとは面16aと共に頭部16とアーム12との間を接続するという機能を有する。こうして頭部16は固定され、アーム10と12とは閉状態にある。頭部16は固定部として機能し、アーム10及び12は鉤部として機能する。
【００５４】
図3bに示されるように、アームが開位置にあり、頭部16が固定解除位置にあるときには、アーム10及び12が閉位置にきて、アーム10及び12の自由端が留め部材を形成するまで、着用者はＦ２に反対向きの力をかけさえすればよい。この位置において、面10b及び12bは再び共平面をなし、上面16aの反対側にＦ１に反対方向の力をかけることによって、頭部16はその固定位置に戻る。
【００５５】
関節部14が自由に動くことができる限りにおいてのみ、アーム10及び12が開くことができるのは明らかである。固定解除位置にある頭部16が完全に面10bと蝶番30を解放したときにのみ、関節部は自由に動くことが出来る。こうなると、アーム10は面16aによってその動きが制限されることはもはやない。溝32の長さが、関節部14と力Ｆ１が加えられる面16aの端部との間の距離に少なくとも等しいときにのみ、この条件が満足される。
【００５６】
図示されていない変形例において、固定解除位置にあるときに頭部16を回転することによって溝32から頭部が出るように、突起部22aを設計することによって、ブレスレットから頭部16を外すことが可能である。
【００５７】
この態様において、溝32がアーム12にのみ設けられるように、関節部14を形成する蝶番をオフセットにすることも可能である。この場合、面10bは面12bよりも小さくなる。さらに、固定位置及び固定解除位置の一方から他方へ移るための頭部16の動きも小さくなる。
【００５８】
図３の態様において、頭部16の固定位置及び固定解除位置の両方において、アーム12を頭部16に接続する手段は嵌合したままであることを強調しておく。
【００５９】
図４の態様において、頭部16は、アーム12の端部12a上で、蝶番36によって軸A−Aに平行な軸C−C周りを軸支回転するように取り付けられている。なお、この図において、他の態様と共通の部品については同じ参照符号を付している。この蝶番はアーム12と頭部16との間の接続手段の機能を果たし、頭部16は、固定位置において面10b及び12bに近接する下方平面16a、上方ドーム面16d、２枚の側面16c、突起部10cと協働する第一翼部16d、及び突起部12cと共に蝶番36を形成するように配された第二翼部16eを有している。
【００６０】
突起部10cは鉤部を形成し、翼部16dは固定部を形成している。これらは頭部16をアーム10及び12に固定するように協働する。翼部16dは突起部10cにスナップ留めによって取り付けられており、頭部16とアーム10との間の接続手段としての機能を確実にする。このスナップ取り付け構造は、わずかに翼部16dを覆う突起部10cと、頭部16が解放されるのに必要な変形をするのに十分な弾力性を有するアーム10及び12とによって達成することができる。この機能を、図３を参照して説明した態様で使用しているものに類似している玉付バネ留めによってこの機能を達成することも可能である。さらに、蝶番36はアーム12と頭部16との間の接続手段としての機能も果たしている。
【００６１】
図4aに示されているように、頭部が固定位置にあるときには、頭部16はブレスレットの全体形状の一部をなし、上面16bからアーム10及び12が延びている。
【００６２】
頭部16とアーム10及び12とを分けるためには、頭部16の側面16cを掴んで上向きの力Ｆ１をかける。Ｆ１は、突起部10cから翼部16dが分離するように、蝶番36によって頭部16をアーム12上で回転させる。翼部16dから突起部10cが離れるとすぐに、頭部は固定解除される。
【００６３】
この位置において、アーム10及び12の中央部に、軸A−Aに垂直な面内で外向きの力Ｆ２をかけると、この軸に関してトルクが発生し、アーム10と12とが離れてその間に空隙24を形成する。この空隙は、図4bに示される開位置に達して、着用者の手首をブレスレットに出し入れすることができるようになるまで、大きくなる。
【００６４】
逆に、アームが閉位置にあって頭部が固定位置にあるときに、力Ｆ２が加えられると、この力は、突起部10cによって、結果的に翼部16dに力Ｆ３をかける。力Ｆ３はＦ１に垂直であり、蝶番36にストレスを発生させるが、これによってアーム10及び12に関して頭部16が動くことがない。頭部16はこのようにして固定され、アーム10及び12は閉状態を保つ。
【００６５】
図4bに示されるように、アームが開位置にあると共に頭部16が固定解除位置にあると、必要なときのみ、アーム10及び12が閉位置にくるまで反対向きの力Ｆ２をかけることによって、アーム10及び12の自由端は留め部材を形成する。この位置において、Ｆ１に対して反対向きの力を上面16bにかけることによって、頭部16をその固定位置に戻すように、面10bと12bとは再び共平面をなす。
【００６６】
この態様において、頭部が固定解除位置にあるときには、アーム10を頭部16に接続する第一接続手段のみが外れる。
【００６７】
ここに記載されている４つの態様は、本発明の環には数多くの変更を施すことができることを示している。それによって本発明の範囲から外れることなく、他の変形例も考えることができる。先に記載したように、ブレスレットのみではなく、例えば、ネックレスや指輪を作るのも可能である。
【００６８】
アーム10及び12、並びに頭部16の形状はかなり変えることができる。したがって、面10b、12b及び16aは平坦である必要がない。最初の２つの態様においては、これらは半球状であってもよく、第三の態様においては円筒状であってもよく、第四の態様においてはいかなる形状であってもよい。
【００６９】
図示されていない他の態様においては、頭部は、時計のムーブメントを備える代わりに、カボション形の石又はカットした石を載せることもできる。ブレスレットのアームの片側にムーブメントを取り付けることも可能であり、このために、部分的にマスクをしたりしなかったりすることも可能である。もし、文字盤が覆われると、ブレスレットが不意に開くのを防ぐために、固定解除位置までは達しない程度に頭部16を動かすことによって、文字盤を読むことができる。
【００７０】
図４の変形例において、ムーブメント18はアーム12に収容することができ、頭部16がムーブメント18のハウジングを取り囲んで受けみぞを形成することもできる。
【００７１】
最後に、２本のアーム10と12との角度は180°未満であってもよいことに注意されたい。しかしながら、この場合は、端部10aと12aとは、アームが閉位置にある場合は留め部材を形成するような構造を有していなくてはならない。
【００７２】
このように、接続手段がアーム10及び12、並びに頭部16と強固に連結されている、記載されている全ての態様において、信頼することのできる組み立て状態と、特に創意に富んだ美的可能性とをその全てが提供することのできる、ブレスレットの様々な変形例を作ることが可能である。
【図面の簡単な説明】
【００７３】
【図１ａ】図１ａは、本発明によるブレスレットの第一の態様の側面図であって、頭部が固定位置にある場合を示している。
【図１ｂ】図１ｂは、本発明によるブレスレットの第一の態様の側面図であって、アームが開いて頭部が固定解除位置にある場合を示している。
【図２ａ】図２ａは、本発明によるブレスレットの第二の態様の側面図であって、頭部が固定位置にある場合を示している。
【図２ｂ】図２ｂは、本発明によるブレスレットの第二の態様の側面図であって、アームが開いて頭部が固定解除位置にある場合を示している。
【図３ａ】図３ａは、本発明によるブレスレットの第三の態様の側面図であって、頭部が固定位置にある場合を示している。
【図３ｂ】図３ｂは、本発明によるブレスレットの第三の態様の側面図であって、アームが開いて頭部が固定解除位置にある場合を示している。
【図４ａ】図４ａは、本発明によるブレスレットの第四の態様の側面図であって、頭部が固定位置にある場合を示している。
【図４ｂ】図４ｂは、本発明によるブレスレットの第四の態様の側面図であって、アームが開いて頭部が固定解除位置にある場合を示している。
【図１ａ】
2004533897.tif 000003
【図１ｂ】
2004533897.tif 000004
【図２ａ】
2004533897.tif 000005
【図２ｂ】
2004533897.tif 000006
【図３ａ】
2004533897.tif 000007
【図３ｂ】
2004533897.tif 000008
【図４ａ】
2004533897.tif 000009
【図４ｂ】
2004533897.tif 000010
【国際公開パンフレット】
2004533897.tif 000011
2004533897.tif 000012
2004533897.tif 000013
2004533897.tif 000014
2004533897.tif 000015
2004533897.tif 000016
2004533897.tif 000017
2004533897.tif 000018
2004533897.tif 000019
2004533897.tif 000020
2004533897.tif 000021
2004533897.tif 000022
2004533897.tif 000023
2004533897.tif 000024
2004533897.tif 000025
2004533897.tif 000026
2004533897.tif 000027
2004533897.tif 000028
2004533897.tif 000029
2004533897.tif 000030
2004533897.tif 000031
2004533897.tif 000032
2004533897.tif 000033
2004533897.tif 000034
2004533897.tif 000035
2004533897.tif 000036
2004533897.tif 000037
2004533897.tif 000038
2004533897.tif 000039
2004533897.tif 000040
2004533897.tif 000041
【国際調査報告】
2004533897.tif 000042
2004533897.tif 000043
2004533897.tif 000044
2004533897.tif 000045